(57)【特許請求の範囲】
【請求項１】
かご床と、
前記かご床の上面に沿って設けられた下部ガイドフレーム部材と、
前記かご床から上方に延びるよう設けられた支柱フレーム部材と、
前記支柱フレーム部材の上端に設けられた上部ガイドフレーム部材と、
前記下部ガイドフレーム部材と前記上部ガイドフレーム部材との間に設けられる複数の側板であって、それぞれ下縁が前記下部ガイドフレーム部材により案内されるとともに上縁が前記上部ガイドフレーム部材により案内されるような複数の側板と、
前記上部ガイドフレーム部材の上方に設けられた天井と、
を備えたエレベータかごであって、
前記エレベータかごの出入口部近傍における前記下部ガイドフレーム部材または前記上部ガイドフレーム部材の端部には、当該端部の開閉を行う開閉機構が設けられており、
前記開閉機構により前記端部が開状態となっているときにはこの端部から前記側板を前記下部ガイドフレーム部材および前記上部ガイドフレーム部材により案内することができ、前記開閉機構により前記端部が閉状態となっているときにはこの端部に前記側板を差し込むことができないようになっており、
前記開閉機構は、前記出入口部にある支柱フレーム部材に設けられたヒンジ部材と、前記ヒンジ部材に取り付けられ前記下部ガイドフレーム部材または前記上部ガイドフレーム部材の端部への前記側板の差し込みを阻止するような蓋部材とからなることを特徴とするエレベータかご。
【請求項２】
前記下部ガイドフレーム部材は、エレベータかごの出入口部を除く前記かご床の各辺に沿って複数設けられ、
前記支柱フレーム部材は、前記かご床の各隅部から上方に延びるよう複数設けられ、
前記上部ガイドフレーム部材は、前記下部ガイドフレーム部材に対応するよう、エレベータかごの出入口部を除く前記天井の各辺に沿って複数設けられることを特徴とする請求項１記載のエレベータかご。
【請求項３】
前記側板には、隣り合う側板と着脱自在に連結するための連結部材が設けられていることを特徴とする請求項１または２記載のエレベータかご。
【請求項４】
前記開閉機構には、隣り合う側板と着脱自在に連結するための連結部材が設けられていることを特徴とする請求項１乃至３のいずれか一項に記載のエレベータかご。
【請求項５】
前記連結部材は弾性材料からなることを特徴とする請求項３または４記載のエレベータかご。
【請求項６】
かご床の上に、当該かご床の上面に沿って設けられる下部ガイドフレーム部材、前記かご床から上方に延びるよう設けられる支柱フレーム部材、および前記支柱フレーム部材の上端に設けられる上部ガイドフレーム部材をそれぞれ設置する工程と、
エレベータかごの出入口部より、側板の下縁を前記下部ガイドフレーム部材により案内するとともに側板の上縁を前記上部ガイドフレーム部材により案内することによって側板を１枚ずつ前記下部ガイドフレーム部材と前記上部ガイドフレーム部材との間に差し込む工程と、
を備え、
前記エレベータかごの出入口部近傍における前記下部ガイドフレーム部材または前記上部ガイドフレーム部材の端部に、当該端部の開閉を行う開閉機構を設け、
前記開閉機構により前記端部が開状態となっているときにはこの端部から前記側板を前記下部ガイドフレーム部材および前記上部ガイドフレーム部材により案内することができ、前記開閉機構により前記端部が閉状態となっているときにはこの端部に前記側板を差し込むことができないようになっており、
前記開閉機構は、前記出入口部にある支柱フレーム部材に設けられたヒンジ部材と、前記ヒンジ部材に取り付けられ前記下部ガイドフレーム部材または前記上部ガイドフレーム部材の端部への前記側板の差し込みを阻止するような蓋部材とからなることを特徴とするエレベータかごの製造方法。
【請求項７】
かご床と、前記かご床の上面に沿って設けられた下部ガイドフレーム部材と、前記かご床から上方に延びるよう設けられた支柱フレーム部材と、前記支柱フレーム部材の上端に設けられた上部ガイドフレーム部材と、を備え、側板を１枚ずつ前記下部ガイドフレーム部材と前記上部ガイドフレーム部材との間に差し込むことにより製造されるようなエレベータかごの側板の交換方法であって、
側板の下縁を前記下部ガイドフレーム部材により案内するとともに側板の上縁を前記上部ガイドフレーム部材により案内することによって側板を１枚ずつ前記下部ガイドフレーム部材と前記上部ガイドフレーム部材との間から取り外す工程と、
新たな側板の下縁を前記下部ガイドフレーム部材により案内するとともにこの新たな側板の上縁を前記上部ガイドフレーム部材により案内することによって新たな側板を１枚ずつ前記下部ガイドフレーム部材と前記上部ガイドフレーム部材との間に差し込む工程と、
を備え、
前記エレベータかごの出入口部近傍における前記下部ガイドフレーム部材または前記上部ガイドフレーム部材の端部には、当該端部の開閉を行う開閉機構が設けられており、
前記開閉機構により前記端部が開状態となっているときにはこの端部から前記側板を前記下部ガイドフレーム部材および前記上部ガイドフレーム部材により案内することができ、前記開閉機構により前記端部が閉状態となっているときにはこの端部に前記側板を差し込むことができないようになっており、
前記開閉機構は、前記出入口部にある支柱フレーム部材に設けられたヒンジ部材と、前記ヒンジ部材に取り付けられ前記下部ガイドフレーム部材または前記上部ガイドフレーム部材の端部への前記側板の差し込みを阻止するような蓋部材とからなり、
前記開閉機構を開閉させることにより、新たな側板を前記下部ガイドフレーム部材と前記上部ガイドフレーム部材との間に差し込むことができ、また、古い側板の取り外しを行うことができるようになっていることを特徴とするエレベータかごの側板の交換方法。
【発明の詳細な説明】
【技術分野】
【０００１】
本発明は、エレベータかご、エレベータかごの製造方法ならびにエレベータかごの側板の交換方法に関し、とりわけ、側板の交換作業を容易かつ短期間で行うことができるエレベータかご、エレベータかごの製造方法ならびにエレベータかごの側板の交換方法に関する。
【背景技術】
【０００２】
一般的に、エレベータかごは、かご床、天井、かご床と天井との間に設けられる側板、幕板、入口柱および主操作盤等から構成されており、これらの部材（パーツ）は全てボルト締結等により固定されている。例えば特許文献１には、側板の上端部をピンにより天井に係止するとともに、かご床の端部に支持部材を設け、この支持部材により、側板の上端部が天井に係止された状態でこの側板をかご床の上方に離間させながら支持させるようなエレベータのかご室が開示されている。
【０００３】
【特許文献１】特開２００３−２９２２７１号公報
【発明の開示】
【発明が解決しようとする課題】
【０００４】
しかしながら、従来のエレベータかごにおいては、新規にエレベータを設置してから長期間が経過し、かごの側板のリニューアルを行う場合には、ボルト締結等により固定されている側板を取り外すとともに新たな側板を取り付ける必要があるため、このリニューアル工事に多大な作業時間を費やす必要があった。このようなリニューアル工事の間、エレベータの稼動を長期間停止することとなり、利用者に迷惑をかけることとなる。
【０００５】
本発明は、このような点を考慮してなされたものであり、側板の交換作業を容易かつ短期間で行うことができるエレベータかご、エレベータかごの製造方法ならびにエレベータかごの側板の交換方法を提供することを目的とする。また、本発明の他の目的は、何度でもかご室のリニューアルが可能であり、また、通常のエレベータについてバリアフリーの為の車いす兼用のエレベータへのリニューアルを容易かつ短時間で行うことができるエレベータかご、エレベータかごの製造方法ならびにエレベータかごの側板の交換方法を提供することにある。
【課題を解決するための手段】
【０００６】
本発明のエレベータかごは、かご床と、前記かご床の上面に沿って設けられた下部ガイドフレーム部材と、前記かご床から上方に延びるよう設けられた支柱フレーム部材と、前記支柱フレーム部材の上端に設けられた上部ガイドフレーム部材と、前記下部ガイドフレーム部材と前記上部ガイドフレーム部材との間に設けられる複数の側板であって、それぞれ下縁が前記下部ガイドフレーム部材により案内されるとともに上縁が前記上部ガイドフレーム部材により案内されるような複数の側板と、前記上部ガイドフレーム部材の上方に設けられた天井と、を備えたエレベータかごであって、前記エレベータかごの出入口部近傍における前記下部ガイドフレーム部材または前記上部ガイドフレーム部材の端部には、当該端部の開閉を行う開閉機構が設けられており、前記開閉機構により前記端部が開状態となっているときにはこの端部から前記側板を前記下部ガイドフレーム部材および前記上部ガイドフレーム部材により案内することができ、前記開閉機構により前記端部が閉状態となっているときにはこの端部に前記側板を差し込むことができないようになっており、前記開閉機構は、前記出入口部にある支柱フレーム部材に設けられたヒンジ部材と、前記ヒンジ部材に取り付けられ前記下部ガイドフレーム部材または前記上部ガイドフレーム部材の端部への前記側板の差し込みを阻止するような蓋部材とからなることを特徴とする。
【０００７】
このようなエレベータかごによれば、下部ガイドフレーム部材と上部ガイドフレーム部材との間に設置される側板を、この側板の下縁が下部ガイドフレーム部材により案内されるとともに上縁が上部ガイドフレーム部材により案内されるようにして取り外しまたは取り付けを行うことができるようになるので、側板をボルト締結等によりこれらのフレーム部材や他の部材に固定する必要がなくなり、側板の交換作業を容易かつ短期間で行うことができるようになる。また、このことにより、何度でもかご室のリニューアルが可能となり、また、通常のエレベータかごの側板について、バリアフリーの為の車いす兼用の側板へのリニューアルを容易かつ短時間で行うことができるようになる。
【０００８】
本発明のエレベータかごにおいては、前記下部ガイドフレーム部材は、エレベータかごの出入口部を除く前記かご床の各辺に沿って複数設けられ、前記支柱フレーム部材は、前記かご床の各隅部から上方に延びるよう複数設けられ、前記上部ガイドフレーム部材は、前記下部ガイドフレーム部材に対応するよう、エレベータかごの出入口部を除く前記天井の各辺に沿って複数設けられることが好ましい。
【００１０】
本発明のエレベータかごにおいては、前記側板には、隣り合う側板と着脱自在に連結するための連結部材が設けられていることが好ましい。このことにより、隣り合う側板同士の連結を容易に行うことができるようになり、下部ガイドフレーム部材と上部ガイドフレーム部材との間から側板を１枚ずつ容易に取り外したり新たな側板を１枚ずつ容易に取り付けたりすることができるようになる。また、前記開閉機構に、隣り合う側板と着脱自在に連結するための連結部材が設けられていることが好ましい。ここで、前記連結部材は弾性材料からなることが特に好ましい。
【００１１】
本発明のエレベータかごの製造方法は、かご床の上に、当該かご床の上面に沿って設けられる下部ガイドフレーム部材、前記かご床から上方に延びるよう設けられる支柱フレーム部材、および前記支柱フレーム部材の上端に設けられる上部ガイドフレーム部材をそれぞれ設置する工程と、エレベータかごの出入口部より、側板の下縁を前記下部ガイドフレーム部材により案内するとともに側板の上縁を前記上部ガイドフレーム部材により案内することによって側板を１枚ずつ前記下部ガイドフレーム部材と前記上部ガイドフレーム部材との間に差し込む工程と、を備え、前記エレベータかごの出入口部近傍における前記下部ガイドフレーム部材または前記上部ガイドフレーム部材の端部に、当該端部の開閉を行う開閉機構を設け、前記開閉機構により前記端部が開状態となっているときにはこの端部から前記側板を前記下部ガイドフレーム部材および前記上部ガイドフレーム部材により案内することができ、前記開閉機構により前記端部が閉状態となっているときにはこの端部に前記側板を差し込むことができないようになっており、前記開閉機構は、前記出入口部にある支柱フレーム部材に設けられたヒンジ部材と、前記ヒンジ部材に取り付けられ前記下部ガイドフレーム部材または前記上部ガイドフレーム部材の端部への前記側板の差し込みを阻止するような蓋部材とからなることを特徴とする。
【００１２】
このようなエレベータかごの製造方法により製造されたエレベータかごによれば、下部ガイドフレーム部材と上部ガイドフレーム部材との間に設置される側板を、この側板の下縁が下部ガイドフレーム部材により案内されるとともに上縁が上部ガイドフレーム部材により案内されるようにして取り外しまたは取り付けを行うことができるようになるので、側板をボルト締結等によりこれらのフレーム部材や他の部材に固定する必要がなくなり、側板の交換作業を容易かつ短期間で行うことができるようになる。
【００１３】
本発明のエレベータかごの側板の交換方法は、かご床と、前記かご床の上面に沿って設けられた下部ガイドフレーム部材と、前記かご床から上方に延びるよう設けられた支柱フレーム部材と、前記支柱フレーム部材の上端に設けられた上部ガイドフレーム部材と、を備え、側板を１枚ずつ前記下部ガイドフレーム部材と前記上部ガイドフレーム部材との間に差し込むことにより製造されるようなエレベータかごの側板の交換方法であって、側板の下縁を前記下部ガイドフレーム部材により案内するとともに側板の上縁を前記上部ガイドフレーム部材により案内することによって側板を１枚ずつ前記下部ガイドフレーム部材と前記上部ガイドフレーム部材との間から取り外す工程と、新たな側板の下縁を前記下部ガイドフレーム部材により案内するとともにこの新たな側板の上縁を前記上部ガイドフレーム部材により案内することによって新たな側板を１枚ずつ前記下部ガイドフレーム部材と前記上部ガイドフレーム部材との間に差し込む工程と、を備え、前記エレベータかごの出入口部近傍における前記下部ガイドフレーム部材または前記上部ガイドフレーム部材の端部には、当該端部の開閉を行う開閉機構が設けられており、前記開閉機構により前記端部が開状態となっているときにはこの端部から前記側板を前記下部ガイドフレーム部材および前記上部ガイドフレーム部材により案内することができ、前記開閉機構により前記端部が閉状態となっているときにはこの端部に前記側板を差し込むことができないようになっており、前記開閉機構は、前記出入口部にある支柱フレーム部材に設けられたヒンジ部材と、前記ヒンジ部材に取り付けられ前記下部ガイドフレーム部材または前記上部ガイドフレーム部材の端部への前記側板の差し込みを阻止するような蓋部材とからなり、前記開閉機構を開閉させることにより、新たな側板を前記下部ガイドフレーム部材と前記上部ガイドフレーム部材との間に差し込むことができ、また、古い側板の取り外しを行うことができるようになっていることを特徴とする。
【００１４】
このようなエレベータかごの側板の交換方法によれば、下部ガイドフレーム部材と上部ガイドフレーム部材との間に設置される側板を、この側板の下縁が下部ガイドフレーム部材により案内されるとともに上縁が上部ガイドフレーム部材により案内されるようにして取り外しまたは取り付けを行うことができるようになるので、側板をボルト締結等によりこれらのフレーム部材や他の部材に固定する必要がなくなり、側板の交換作業を容易かつ短期間で行うことができるようになる。
【発明の効果】
【００１５】
本発明のエレベータかご、エレベータかごの製造方法ならびにエレベータかごの側板の交換方法によれば、側板の交換作業を容易かつ短期間で行うことができる。
【発明を実施するための最良の形態】
【００１６】
以下、本発明の一の実施の形態について、図面を参照して説明する。図１は、本実施の形態におけるエレベータかごの構成を示す斜視図であって、側板を上部ガイドフレーム部材および下部ガイドフレーム部材の間でスライド移動により案内しているときの状態を示す図であり、図２は、図１に示すエレベータかごにおける側板の配置状況を示すための説明図であり、図３は、図１に示すエレベータかごの上部ガイドフレーム部材、側板および下部ガイドフレーム部材の側断面図である。また、図４は、図１に示すエレベータかごの側板に取り付けられた連結部材の構成を示す斜視図であり、図５は、図４に示す側板および連結部材の上面図であり、図６は、図４に示す側板および連結部材の正面図であり、図７は、２枚の側板を連結部材で連結させたときの状態を示す上面図である。また、図８は、図１に示すエレベータかごに設けられた開閉機構の構成を示す上面図であって、下部ガイドフレーム部材の端部が閉状態となっているときの図であり、図９は、図８に示す開閉機構において下部ガイドフレーム部材の端部が開状態となっているときの図である。
【００１７】
図１に示すように、エレベータかごは、床タイルの貼り付けが済んでいるようなかご床２と、かご床２の上面に沿って設けられた５本の下部ガイドフレーム部材３ａ〜３ｅと、かご床２から上方に延びるよう設けられた６本の支柱フレーム部材５ａ〜５ｆと、支柱フレーム部材５ａ〜５ｆの上端に設けられた５本の上部ガイドフレーム部材４ａ〜４ｅとを備えている。各下部ガイドフレーム部材３ａ〜３ｅと各上部ガイドフレーム部材４ａ〜４ｅとの間には側板１０が設けられており、また、上部ガイドフレーム部材４ａ〜４ｅの上方には天井６が設けられている。なお、図１は側板１０を上部ガイドフレーム部材４ａ〜４ｅおよび下部ガイドフレーム部材３ａ〜３ｅの間でスライド移動により案内しているときの状態を示す図であるので１枚の側板１０しか示していないが、実際の組み立て済のエレベータかごにおいては各下部ガイドフレーム部材３ａ〜３ｅと各上部ガイドフレーム部材４ａ〜４ｅとの間に複数の側板１０が設けられ、図２に示すようにこれらの側板１０に覆われるようにしてエレベータかごのかご室が形成されるようになっている。
【００１８】
以下、このようなエレベータかごの各構成要素の詳細について説明する。
【００１９】
かご床２におけるエレベータかごの出入口部にはカーシル１が設けられている。また、このかご床２の上面には、側板１０の下縁を固定するための下部ガイドフレーム部材３ａ〜３ｅが、床周囲の３辺および出入口部の左右の合計５カ所に設置されている。これらの下部ガイドフレーム部材３ａ〜３ｅはアルミ押し出し材または板金ロールフォーミング材から形成されており、その断面形状は、図３に示すように上方に開口するようなガイド溝形状となっており、このガイド溝とは反対面には、等間隔ピッチで取り付け穴が設けられている。この取り付け穴にネジを嵌め込むことにより各下部ガイドフレーム部材３ａ〜３ｅとかご床２を連結するようになっている。ここで、各下部ガイドフレーム部材３ａ〜３ｅに形成されるガイド溝は全てつながっており、５本の下部ガイドフレーム部材３ａ〜３ｅにより連続的な１本のガイド溝が形成されている。なお、エレベータかごの出入口部における下部ガイドフレーム部材３ａの端部は閉状態となっており、この端部から後述する側板１０のガイドシュー８を取り外すことができないようになっている。
【００２０】
支柱フレーム部材５ａ〜５ｆは、板曲げにより形成されたＬ字形状のものであり、かご床２の四隅および出入口部の左右の合計６カ所に設置されている。これらの支柱フレーム部材５ａ〜５ｆは、各下部ガイドフレーム部材３ａ〜３ｅの両端にそれぞれ位置するようになっている。具体的には、各下部ガイドフレーム部材３ａ〜３ｅのコーナー部にＬ字形状の支柱フレーム部材５ａ〜５ｆの内面または外面を合わせ、ネジにより締結するようになっている。これらの支柱フレーム部材５ａ〜５ｆの上端に、５本の上部ガイドフレーム部材４ａ〜４ｅが、各下部ガイドフレーム部材３ａ〜３ｅと向かい合うように設けられている。
【００２１】
各上部ガイドフレーム部材４ａ〜４ｅの断面形状は、図３に示すように各下部ガイドフレーム部材３ａ〜３ｅの断面形状と略同一となっているが、ガイド溝は下方に開口するようになっている。上部ガイドフレーム部材４ａ〜４ｅは、後述する天井６の周囲の３辺および出入口部の左右の合計５カ所に設置されている。下部ガイドフレーム部材３ａ〜３ｅの場合と同様に、各上部ガイドフレーム部材４ａ〜４ｅのコーナー部にＬ字形状の支柱フレーム部材５ａ〜５ｆの内面または外面を合わせ、ネジにより締結するようになっている。また、各上部ガイドフレーム部材４ａ〜４ｅに形成されるガイド溝は全てつながっており、５本の上部ガイドフレーム部材４ａ〜４ｅにより連続的な１本のガイド溝が形成されている。なお、エレベータかごの出入口部における上部ガイドフレーム部材４ａの端部は閉状態となっており、この端部から後述する側板１０のガイドシュー８を取り外すことができないようになっている。
【００２２】
このような下部ガイドフレーム部材３ａ〜３ｅ、上部ガイドフレーム部材４ａ〜４ｅおよび支柱フレーム部材５ａ〜５ｆにより、フレーム構造体が構成されている。次に、照明装置が設けられた天井６をこのフレーム構造体の上に乗せて、各上部ガイドフレーム部材４ａ〜４ｅに形成された穴と天井６の板面に形成された穴にネジを嵌め込むことによってフレーム構造体に天井６を締結する。
【００２３】
側板１０は、鋼板またはＳＵＳ製の薄板から構成されている。側板１０は、下部ガイドフレーム部材３ａ〜３ｅと上部ガイドフレーム部材４ａ〜４ｅとの間で案内されるようになっており、具体的には側板１０の下縁が下部ガイドフレーム部材３ａ〜３ｅにより案内されるとともに側板１０の上縁が上部ガイドフレーム部材４ａ〜４ｅにより案内されるようになっている。図３を用いて更に詳しく説明すると、側板１０の上縁および下縁の裏面に溶接ナット（ウェルドナット）７ａ、７ｂが形成されており、この溶接ナット７ａ、７ｂにはネジ９が側板１０の上方および下方に突出するよう設けられている。そして、上方および下方の各ネジ９には、樹脂材で形成されたガイドシュー８がそれぞれ取り付けられており、これらのガイドシュー８が下部ガイドフレーム部材３ａ〜３ｅのガイド溝および上部ガイドフレーム部材４ａ〜４ｅのガイド溝にそれぞれ嵌め込まれるようになっている。このようなガイドシュー８は、側板１０の上縁に２カ所、下縁に２カ所、すなわち合計４カ所設けられている。これらのガイドシュー８が下部ガイドフレーム部材３ａ〜３ｅのガイド溝内および上部ガイドフレーム部材４ａ〜４ｅのガイド溝内をスライド移動することにより、側板１０の下縁が下部ガイドフレーム部材３ａ〜３ｅにより案内されるとともに側板１０の上縁が上部ガイドフレーム部材４ａ〜４ｅにより案内されるようになる。
【００２４】
側板１０には、隣り合う側板１０と着脱自在に連結するための連結部材１２が設けられている。このような連結部材１２の構成の詳細について図４乃至図７を用いて説明する。図４に示すように、側板１０の両側面はコの字形状に折り曲げられており、その側面部分には長方形の貫通穴１１が形成されている。図４では１つの貫通穴１１のみが側板１０の側面に形成された例を示しているが、実際には側板１０の側面の上下方向に沿って貫通穴１１が数カ所形成されている。また、図示していないが、側板１０におけるコの字形状に折り返された面にも長方形の貫通穴１１が複数形成されている。
【００２５】
そして、図５および図６に示すように、側板１０における折り返された面の裏面に、連結部材１２がスタッドピン１３により締結されている。連結部材１２は弾性材料からなり、具体的には１０〜５０ｍｍ程度の幅を有する鋼製の帯体を、中間に膨らみを持たせた形状に折り返し、図４および図５に示すように貫通穴１１を貫通するよう設けられている。この連結部材１２は、図７に示すように隣り合う側板１０の貫通穴１１に貫通することにより、隣り合う側板１０同士を着脱自在に連結するようになっている。図７に示すような隣り合う側板１０同士が連結された状態において、これらの側板１０を離間させると、連結部材１２の弾性性能によりこの連結部材１２が変形して一の側板１０に取り付けられた連結部材１２が他の側板１０の貫通穴１１から離脱するようになる。
【００２６】
図８および図９に示すように、エレベータかごの出入口部近傍における下部ガイドフレーム部材３ｅの端部近傍には、当該端部の開閉を行う開閉機構が設けられている。この開閉機構は、出入口部の支柱フレーム部材５ｆに設けられた蝶板（ヒンジ部材）１５と、この蝶板１５に取り付けられた蓋部材１４とから構成されている。ここで、蝶板１４および蓋部材１５は、下部ガイドフレーム部材３ｅよりもわずかに上方に位置している。
【００２７】
具体的に説明すると、蓋部材１４は鋼板またはＳＵＳ製の薄板からなり、曲げ加工されて略コの字形状に形成されている。この蓋部材１４はエレベータかごの入口柱を構成している。蓋部材１４の裏面には、溶接または溶着により蝶板１５が設けられている。蝶板１５はスタッドボルト１６により支柱フレーム部材５ｆの内面に締め付け固定されている。また、蓋部材１４におけるコの字の折り返し部材の内面に、前述の連結部材１２がスタッドピン１３により締結されている。蓋部材１４に連結部材１２が設けられていることにより、下部ガイドフレーム部材３ｅ上に設けられる側板１０と蓋部材１４との着脱自在の連結が可能となっている。
【００２８】
蝶板１５によって鉛直方向に延びる軸（ヒンジ軸）を中心として蓋部材１４を回転させることができ、この蓋部材１４を、図８に示すような下部ガイドフレーム部材３ｅの端部が閉状態となる閉位置と、図９に示すような当該端部が開状態となる開位置との間で往復移動させることができるようになる。すなわち、図９に示すように開閉機構の蓋部材１４により下部ガイドフレーム部材３ｅの端部が開状態となっているときにはこの端部から側板１０のガイドシュー８を下部ガイドフレーム部材３ｅのガイド溝に送ることができ、一方、図８に示すように開閉機構の蓋部材１４により当該端部が閉状態となっているときには、蓋部材１４が側板１０の移動を邪魔することによって下部ガイドフレーム部材３ｅのガイド溝に側板１０のガイドシュー８を差し込むことができないようになっている。
【００２９】
蓋部材１４を閉位置に固定するために、化粧ネジ１７により蓋部材１４を支柱フレーム部材５ｆの外面に固定することができるようになっている。化粧ネジ１７により蓋部材１４が支柱フレーム部材５ｆの外面に固定されると、この蓋部材１４は回転しなくなり、図９に示すような開位置には移動しなくなる。
【００３０】
次に、このような構成からなるエレベータかごの製造方法ならびに側板１０の交換方法について説明する。
【００３１】
まず、エレベータかごの製造方法について説明すると、最初にかご床２を準備し、このかご床２にカーシル１を取り付けるとともにかご床２の上面に下部ガイドフレーム部材３ａ〜３ｅ、支柱フレーム部材５ａ〜５ｆおよび上部ガイドフレーム部材４ａ〜４ｅを順次組み立てる。そして、図９に示すようにエレベータかごの出入口部における支柱フレーム部材５ｆに、蝶板１５を介して蓋部材１４をエレベータかごの入口柱として取り付ける。このときに、図９に示すように蓋部材１４を開位置にしておく。
【００３２】
そして、エレベータかごの出入口部の下部ガイドフレーム部材３ｅおよび上部ガイドフレーム部材４ｅの端部のガイド溝に、側板１０の上縁および下縁にあるガイドシュー８を差し込むことにより、この側板１０を下部ガイドフレーム部材３ｅおよび上部ガイドフレーム部材４ｅに沿ってスライド移動により案内させる。下部ガイドフレーム部材３ｅおよび上部ガイドフレーム部材４ｅの間に差し込まれた側板１０は、図１に示すように、順次、下部ガイドフレーム部材３ｄおよび上部ガイドフレーム部材４ｄの間の位置、下部ガイドフレーム部材３ｃおよび上部ガイドフレーム部材４ｃの間の位置、下部ガイドフレーム部材３ｂおよび上部ガイドフレーム部材４ｂの間の位置を経て、下部ガイドフレーム部材３ａおよび上部ガイドフレーム部材４ａの間の位置までスライド移動により搬送される。すなわち、エレベータかごの出入口部の下部ガイドフレーム部材３ｅおよび上部ガイドフレーム部材４ｅの間に差し込まれた側板１０は、エレベータかごの右方側面、背面、左方側面を順次スライド移動するよう、かご室の周囲に沿って案内される。
【００３３】
このようにして、側板１０が１枚ずつ順次、エレベータかごの出入口部の下部ガイドフレーム部材３ｅおよび上部ガイドフレーム部材４ｅの端部より、下部ガイドフレーム部材３ａ〜３ｅおよび上部ガイドフレーム部材４ａ〜４ｅに沿ってスライド移動により案内されることにより、図２に示すようにエレベータかごの出入口部を除くかご床２の各辺に沿って複数の側板１０が配置されることとなる。これらの側板１０は、隣り合う側板１０同士が連結部材１２により連結される。すなわち、隣り合う側板１０について、一方の側板１０に形成された連結部材１２が他方の側板１０に形成された長方形の貫通穴１１に入り込み、連結部材１２のふくらみ部分がこの貫通穴１１に引っ掛かることにより、隣り合う側板１０同士が連結される。
【００３４】
最後に、図８に示すように蓋部材１４を閉位置に移動させ、化粧ネジ１７により蓋部材１４を支柱フレーム部材５ｆの外面に固定する。この際に、蓋部材１４に形成された連結部材１２が、下部ガイドフレーム部材３ｅと上部ガイドフレーム部材４ｅの間にある側板１０に形成された長方形の貫通穴１１に入り込むことにより、当該側板１０と蓋部材１４との間の連結が行われる。
【００３５】
次に、側板１０の交換方法について説明する。まず、蓋部材１４に取り付けられた化粧ネジ１７を取り外し、蓋部材１４を図９に示すような開位置に移動させる。そして、側板１０を１枚ずつ、各下部ガイドフレーム部材３ａ〜３ｅと各上部ガイドフレーム部材４ａ〜４ｅとの間でスライド移動させることにより、エレベータかごの出入口部の下部ガイドフレーム部材３ｅおよび上部ガイドフレーム部材４ｅの端部より取り外す。
【００３６】
そして、上述のエレベータかごの製造方法と同様に、下部ガイドフレーム部材３ｅおよび上部ガイドフレーム部材４ｅの端部のガイド溝に、新たな側板１０の上縁および下縁にあるガイドシュー８を差し込むことにより、この新たな側板１０を下部ガイドフレーム部材３ｅおよび上部ガイドフレーム部材４ｅに沿ってスライド移動により案内させる。下部ガイドフレーム部材３ｅおよび上部ガイドフレーム部材４ｅの間に差し込まれた新たな側板１０は、図１に示すように、順次、下部ガイドフレーム部材３ｄおよび上部ガイドフレーム部材４ｄの間の位置、下部ガイドフレーム部材３ｃおよび上部ガイドフレーム部材４ｃの間の位置、下部ガイドフレーム部材３ｂおよび上部ガイドフレーム部材４ｂの間の位置を経て、下部ガイドフレーム部材３ａおよび上部ガイドフレーム部材４ａの間の位置までスライド移動により搬送される。
【００３７】
このようにして、新たな側板１０が１枚ずつ順次、エレベータかごの出入口部の下部ガイドフレーム部材３ｅおよび上部ガイドフレーム部材４ｅの端部より、下部ガイドフレーム部材３ａ〜３ｅおよび上部ガイドフレーム部材４ａ〜４ｅに沿ってスライド移動により案内されることにより、図２に示すようにエレベータかごの出入口部を除くかご床２の各辺に沿って複数の新たな側板１０が配置されることとなる。これらの新たな側板１０は、隣り合う側板１０同士が連結部材１２により連結される。すなわち、隣り合う側板１０について、一方の側板１０に形成された連結部材１２が他方の側板１０に形成された長方形の貫通穴１１に入り込み、連結部材１２のふくらみ部分がこの貫通穴１１に引っ掛かることにより、隣り合う側板１０同士が連結される。
【００３８】
最後に、図８に示すように蓋部材１４を閉位置に移動させ、化粧ネジ１７により蓋部材１４を支柱フレーム部材５ｆの外面に固定する。この際に、蓋部材１４に形成された連結部材１２が、下部ガイドフレーム部材３ｅと上部ガイドフレーム部材４ｅの間にある新たな側板１０に形成された長方形の貫通穴１１に入り込むことにより、当該側板１０と蓋部材１４との間の連結が行われる。
【００３９】
このような新たな側板１０の取り付けの際に、車いす用の操作盤および側板ガイド（手摺）を有する側板１０や、車いす用の背面鏡および側板ガイド（手摺）を有する側板１０を新たな側板として取り付けることにより、車いす兼用や車いす専用のエレベータかごを構成することも可能となる。
【００４０】
以上のように本実施の形態のエレベータかごによれば、かご床２の上面に沿って下部ガイドフレーム部材３ａ〜３ｅが設けられ、支柱フレーム部材５ａ〜５ｆの上端に上部ガイドフレーム部材４ａ〜４ｅが設けられ、側板１０は下部ガイドフレーム部材３ａ〜３ｅと上部ガイドフレーム部材４ａ〜４ｅとの間に設けられ、この側板１０は下縁が下部ガイドフレーム部材３ａ〜３ｅにより案内されるとともに上縁が上部ガイドフレーム部材４ａ〜４ｅにより案内されるようになっている。このように、下部ガイドフレーム部材３ａ〜３ｅと上部ガイドフレーム部材４ａ〜４ｅとの間に設置される側板１０を、この側板１０の下縁が下部ガイドフレーム部材３ａ〜３ｅにより案内されるとともに上縁が上部ガイドフレーム部材４ａ〜４ｅにより案内されるようにして取り外しまたは取り付けを行うことができるようになるので、側板１０をボルト締結等によりこれらのフレーム部材や他の部分に固定する必要がなくなり、側板１０の交換作業を容易かつ短期間で行うことができるようになる。また、このことにより、何度でもかご室のリニューアルが可能となり、また、通常のエレベータかごの側板１０について、バリアフリーの為の車いす兼用の側板１０へのリニューアルを容易かつ短時間で行うことができるようになる。
【００４１】
ここで、エレベータかごの出入口部における下部ガイドフレーム部材３ｅの端部には、当該端部の開閉を行う開閉機構（蝶板１５および蓋部材１４）が設けられており、この開閉機構により端部が開状態となっているときにはこの端部から側板１０を下部ガイドフレーム部材３ｅおよび上部ガイドフレーム部材４ｅにより案内することができ、開閉機構により端部が閉状態となっているときにはこの端部に側板１０を差し込むことができないようになっている。このことにより、開閉機構を開閉させるだけで、新たな側板１０を下部ガイドフレーム部材３ｅと上部ガイドフレーム部材４ｅとの間に差し込むことができ、また古い側板１０の取り外しを行うことができるようになる。
【００４２】
なお、上述のような蝶板１５および蓋部材１４からなる開閉機構は、エレベータかごの出入口部における下部ガイドフレーム部材３ｅの端部近傍に設けられるものに限定されることはなく、エレベータかごの出入口部における上部ガイドフレーム部材４ｅの端部近傍に設けられていても良く、あるいは下部ガイドフレーム部材３ｅおよび上部ガイドフレーム部材４ｅの両方の端部近傍に設けられていても良い。このような場合であっても、当該開閉機構は同様の作用効果を奏することとなる。
【００４３】
また、側板１０には、隣り合う側板１０と着脱自在に連結するための連結部材１２が設けられている。このことにより、隣り合う側板１０同士の連結を容易に行うことができるようになり、下部ガイドフレーム部材３ａ〜３ｅと上部ガイドフレーム部材４ａ〜４ｅとの間から側板１０を１枚ずつ容易に取り外したり新たな側板１０を１枚ずつ容易に取り付けたりすることができるようになる。
【００４４】
なお、本発明によるエレベータかごは上述の態様に限定されるものではなく、様々の変更を加えることができる。すなわち、かご床の上に、下部ガイドフレーム部材、上部ガイドフレーム部材および支柱フレーム部材からなるフレーム構造体が設けられ、下部ガイドフレーム部材および上部ガイドフレーム部材の間で側板が案内されるような構成であれば、図１乃至図９に示す構成以外の様々な構成のものを用いることができる。
【図面の簡単な説明】
【００４５】
【図１】本発明の一の実施の形態におけるエレベータかごの構成を示す斜視図であって、側板を上部ガイドフレーム部材および下部ガイドフレーム部材の間でスライド移動により案内しているときの状態を示す図である。
【図２】図１に示すエレベータかごにおける側板の配置状況を示すための説明図である。
【図３】図１に示すエレベータかごの上部ガイドフレーム部材、側板および下部ガイドフレーム部材の側断面図である。
【図４】図１に示すエレベータかごの側板に取り付けられた連結部材の構成を示す斜視図である。
【図５】図４に示す側板および連結部材の上面図である。
【図６】図４に示す側板および連結部材の正面図である。
【図７】２枚の側板を連結部材で連結させたときの状態を示す上面図である。
【図８】図１に示すエレベータかごに設けられた開閉機構の構成を示す上面図であって、下部ガイドフレーム部材の端部が閉状態となっているときの図である。
【図９】図８に示す開閉機構において下部ガイドフレーム部材の端部が開状態となっているときの図である。
【符号の説明】
【００４６】
１    カーシル
２    かご床
３ａ〜３ｅ  下部ガイドフレーム部材
４ａ〜４ｅ  上部ガイドフレーム部材
５ａ〜５ｆ  支柱フレーム部材
６    天井
７ａ、７ｂ  溶接ナット
８    ガイドシュー
９    ネジ
１０  側板
１１  貫通穴
１２  連結部材
１３  スタッドピン
１４  蓋部材
１５  蝶板
１６  スタッドボルト
１７  化粧ネジ
【図１】
0005057442.tif 000002
【図２】
0005057442.tif 000003
【図３】
0005057442.tif 000004
【図４】
0005057442.tif 000005
【図５】
0005057442.tif 000006
【図６】
0005057442.tif 000007
【図７】
0005057442.tif 000008
【図８】
0005057442.tif 000009
【図９】
0005057442.tif 000010